(57)【要約】【課題】  画像に付加情報を付加して色版別若しくは全色重ねあわせて出力する技術に関し、色版毎に画像を検図する場合であっても付加情報を色版毎に認識できる技術を提供する。【解決手段】  画像を色版別若しくは全色重ね合わせて出力する画像出力システムであって、前記画像に付加すべき付加情報を作成する付加情報作成手段と、前記画像の各色版に対して前記付加情報を付加する付加手段と、を備える。【選択図】      図４
2006211133.tif 000002
【特許請求の範囲】
【請求項１】
画像を色版別若しくは全色重ね合わせて出力する画像出力システムであって、
前記画像に付加すべき付加情報を作成する付加情報作成手段と、
前記画像の各色版に対して前記付加情報を付加する付加手段と、
を備えること、
を特徴とする画像出力システム。
【請求項２】
前記付加手段は、
前記画像の各色版で共通の位置に前記付加情報を付加すること、
を特徴とする請求項１記載の画像出力システム。
【請求項３】
画像を色版別若しくは全色重ね合わせて出力する画像出力システムであって、
前記画像に付加すべき付加情報を作成する付加情報作成手段と、
予め設定された前記画像の単位面積当りの最大トナー総量を超えないように、前記画像に対応する画像データを色版別に色調整する第一の色調整手段と、
予め設定された前記付加情報の付加に使用する単位面積当りの最大トナー総量を超えないように、前記付加情報に対応する付加情報画像データを色版別に色調整する第二の色調整手段と、
色調整された前記画像データ及び付加情報画像データに基づき、前記画像の各色版で共通の位置に前記付加情報を色版毎に付加する付加手段と、
を備えること、
を特徴とする画像出力システム。
【請求項４】
前記第二の色調整手段は、
前記最大トナー総量の範囲で、色版別の最大トナー量を設定し、当該最大トナー量に基づいて色版毎に色変換すること、
を特徴とする請求項３記載の画像出力システム。
【請求項５】
画像を色版別若しくは重ね合わせて出力する画像出力方法であって、
前記画像に付加すべき付加情報を作成する付加情報作成工程と、
前記画像の各色版に対して前記付加情報を付加する付加工程と、
を含むこと、
を特徴とする画像出力方法。
【請求項６】
前記付加工程では、
前記画像の各色版で共通の位置に前記付加情報を付加すること、
を特徴とする請求項５記載の画像出力方法。
【請求項７】
画像を色版別若しくは重ね合わせて出力する画像出力方法であって、
前記画像に付加すべき付加情報を作成する付加情報作成工程と、
予め設定された前記画像の単位面積当りの最大トナー総量を超えないように、前記画像に対応する画像データを色版別に色調整する第一の色調整工程と、
予め設定された前記付加情報の付加に使用する単位面積当りの最大トナー総量を超えないように、前記付加情報に対応する付加情報画像データを色版別に色調整する第二の色調整工程と、
色調整された前記画像データ及び付加情報画像データに基づき、前記画像の各色版で共通の位置に前記付加情報を色版毎に付加する付加工程と、
を含むこと、
を特徴とする画像出力方法。
【請求項８】
前記第二の色調整工程では、
前記最大トナー総量の範囲で、色版別の最大トナー量を設定し、当該最大トナー量に基づいて色版毎に色変換すること、
を特徴とする請求項７記載の画像出力方法。
【発明の詳細な説明】
【技術分野】
【０００１】
本発明は、画像に付加情報を付加して色版別若しくは全色重ねあわせて出力する技術に関する。
【背景技術】
【０００２】
近年では、ＤＴＰ（Ｄｅｓｋ  Ｔｏｐ  Ｐｕｂｌｉｓｈｉｎｇ）等の普及により、印刷発注者が自身の端末において、スキャナから入力した画像をコンピュータのソフトウェア上で画像編集し、ページ面付けする作業が一般化し、フルディジタルでの編集も珍しくなくなってきている。
【０００３】
このような印刷製版工程では、さらなる効率化を目指して、そのページ面付け済みの画像データをフィルムに直接出力するイメージセッタ出力や、印刷版に直接画像記録を行うＣＴＰ（Ｃｏｍｐｕｔｅｒ  ｔｏ  Ｐｌａｔｅ）出力、さらには印刷機のシリンダー上に巻かれた印刷版に直接画像記録を行うＣＴＣ（Ｃｏｍｐｕｔｅｒ  ｔｏ  Ｃｙｌｉｎｄｅｒ）が行われる。
【０００４】
この場合、校正確認の為だけに一旦フィルム出力や印刷版出力を行い、印刷校正や、その他の校正材料による校正を行うことは、フィルムや印刷版にムダが生じ、また、余計な作業が多くなる問題がある。
【０００５】
そこで、このようなコンピュータによるフルディジタルの画像作成、編集を行う工程では、ＤＤＣＰ（Ｄｉｒｅｃｔ  Ｄｉｇｉｔａｌ  Ｃｏｌｏｒ  Ｐｒｏｏｆ）と呼ばれる直接カラー画像出力を行うシステムが求められるようになった。
【０００６】
このようなＤＤＣＰは、例えばページ面付け済みの画像データをイメージセッタなどで製版用フィルム上に記録したり、プレートセッタ（以下、ＣＴＰと称する）で直接印刷版を作成する印刷作業を行ったり、ＣＴＣで印刷機のシリンダー上に巻かれた印刷版に直接画像記録を行ったりなどする前に、これを再現する色見本であるＤＣＰ（Ｄｉｇｉｔａｌ  Ｃｏｌｏｒ  Ｐｒｏｏｆ）を作成して、その絵柄、色調等の校正を行うために使用される。
【０００７】
さらに、このようなＤＤＣＰを使用して、ＤＣＰを作成する前に、画像出力装置等の汎用プリンタにより単ページの画像データ（ページ面付けする前の画像データ）の小サイズ出力を行い、その出力物であるカラーカンプの絵柄、色調、文章文字等の校正を行うことが行われる。
【０００８】
このように、印刷製版工程では、印刷作業を行う前に、ＤＤＣＰにより出力対象の絵柄、色調、文章文字等の校正を行うためのカラーカンプやＤＣＰを作成して、その校正を行うことが一般的となっている。
【０００９】
この校正作業において、カラーランプやＤＣＰの作成時にその画像に対し、日付や出力条件、出力したデータ名等の付加情報を付加することがある（例えば、特許文献１参照。）。
【００１０】
図１０の（a）に示すように、ＣＭＹＫ全色重ねあわせた画像には、出力したデータ名と日付情報が付加情報として付加される。この画像は、図１０の（ｂ）乃至（ｅ）に示すように、一般的には、Ｋ色版に対して付加情報を付加することによりおこなわれるもので、ＣＭＹ色版には付加情報は付加されない。
【００１１】
ところで、ＣＭＹＫ全色重ねあわせた画像を作成する場合は、各画素にＣＭＹＫの各色トナーが塗布されるために、塗布されたトナーの総量によっては、トナーの剥離や散りが発生する場合がある。このトナーの剥離や散りを解決する方法としては、最大トナー総量がトナー剥離や散りを生じない範囲内となるように画像に対して色調整を行うものがある（例えば、特許文献２参照。）。
【００１２】
【特許文献１】特開２００２−３５８１７８号公報
【特許文献２】特開２００４−１９１８５３号公報
【発明の開示】
【発明が解決しようとする課題】
【００１３】
校正作業は、ＣＭＹＫ全色重ね合わせた画像を出力して検図する場合もあるが、ＣＭＹＫ色版毎に出力して、色版毎に検図する場合もある。図１０に示す付加情報の付加方式、すなわちＫ色版にのみ付加情報を付加する方式は、ＣＭＹＫ全色重ね合わせた画像を検図することを想定しているので色版毎に検図すると、ＣＭＹ色版に付加情報がなく、どのデータを検図しているのか区別できなくなってしまうときがある。
【００１４】
本発明は、上述した課題を鑑みてなされたものであり、その目的とするところは、色版毎に画像を検図する場合であっても付加情報を色版毎に認識できる技術を提供することにある。
【課題を解決するための手段】
【００１５】
上記課題を解決するために、請求項１記載の発明は、画像を色版別若しくは全色重ね合わせて出力する画像出力システムであって、前記画像に付加すべき付加情報を作成する付加情報作成手段と、前記画像の各色版に対して前記付加情報を付加する付加手段と、を備えること、を特徴とする。
【００１６】
上記課題を解決するために、請求項３記載の発明は、画像を色版別若しくは全色重ね合わせて出力する画像出力システムであって、前記画像に付加すべき付加情報を作成する付加情報作成手段と、予め設定された前記画像の単位面積当りの最大トナー総量を超えないように、前記画像に対応する画像データを色版別に色調整する第一の色調整手段と、予め設定された前記付加情報の付加に使用する単位面積当りの最大トナー総量を超えないように、前記付加情報に対応する付加情報画像データを色版別に色調整する第二の色調整手段と、色調整された前記画像データ及び付加情報画像データに基づき、前記画像の各色版で共通の位置に前記付加情報を色版毎に付加する付加手段と、を備えること、を特徴とする。
【００１７】
上記課題を解決するために、請求項５記載の発明は、画像を色版別若しくは重ね合わせて出力する画像出力方法であって、前記画像に付加すべき付加情報を作成する付加情報作成工程と、前記画像の各色版に対して前記付加情報を付加する付加工程と、を含むこと、を特徴とする。
【００１８】
上記課題を解決するために、請求項７記載の発明は、画像を色版別若しくは重ね合わせて出力する画像出力方法であって、前記画像に付加すべき付加情報を作成する付加情報作成工程と、予め設定された前記画像の単位面積当りの最大トナー総量を超えないように、前記画像に対応する画像データを色版別に色調整する第一の色調整工程と、予め設定された前記付加情報の付加に使用する単位面積当りの最大トナー総量を超えないように、前記付加情報に対応する付加情報画像データを色版別に色調整する第二の色調整工程と、色調整された前記画像データ及び付加情報画像データに基づき、前記画像の各色版で共通の位置に前記付加情報を色版毎に付加する付加工程と、を含むこと、を特徴とする。
【００１９】
また、前記画像の各色版で共通の位置に前記付加情報を付加するようにしてもよい
【００２０】
また、第二の色調整では、前記最大トナー総量の範囲で、色版別の最大トナー量を設定し、当該最大トナー量に基づいて色版毎に色変換するようにしてもよい。
【発明の効果】
【００２１】
本発明は、画像を色版別若しくは重ね合わせて出力する画像出力技術によっては、画像に付加すべき付加情報を作成し、画像の各色版に対して付加情報を付加するようにした。
【００２２】
これにより、色版別に画像を出力しても色版毎の画像に対して付加情報が付加される。従って、色版毎の検図において、各色版で付加情報を参照することができ、校正作業の質が向上する。
【００２３】
また、画像を色版別若しくは重ね合わせて出力するとともに、画像に付加すべき付加情報を作成し、画像の各色版で共通の位置に付加情報を色版毎に付加する画像出力技術によっては、画像の単位面積当りの最大トナー総量を設定し、付加情報の付加に使用する単位面積当りの最大トナー総量を設定し、画像に設定した最大トナー総量を超えないように、画像に対応する画像データを色版別に色調整し、設定された付加情報の付加に使用する最大トナー総量を超えないように、付加情報に対応する付加情報画像データを色版別に色調整するようにした。
【００２４】
これにより、画像と付加情報部分を別々に最大トナー総量の設定ができ、画像の色再現性に影響を与えることなく、付加情報部分のトナー剥がれや散り等を防ぐことができる。従って、色再現性と付加情報の参照を両立でき、校正作業の質がさらに向上する。
【００２５】
また、画像の各色版で共通の位置に付加情報を付加する技術によっては、全色重ねて画像を出力した場合、各色の付加情報が重なることで付加情報のぼやけを防止でき、検版性が向上する。
【発明を実施するための最良の形態】
【００２６】
以下、本発明の好適な一実施形態について、図面を参照しながら具体的に説明する。
【００２７】
図１は、画像出力システムの構成図である。図２は、画像出力システムの概略動作を示すフローチャート図である。図３は、画像出力制御装置の構成図である。図４は、画像出力制御装置の機能ブロック図である。図５は、画像データの色調整を設定する表示画面を示す図である。図６は、付加情報画像データの色調整を行う表示画面を示す図である。画図７は、画像データの加工動作を示すフローチャート図である。図８は、色版毎の画像データと色版毎の付加情報画像データを説明する図である。図９は、色版毎に付加情報が付加された画像を色版毎に出力した出力物と、全色重ね合わせて画像を出力した出力物を説明する図である。
【００２８】
図１に示すように、画像出力システムは、少なくとも１台の画像編集端末１と、画像データを出力するための画像出力制御装置２Ａ，２Ｂ及びカンプ用画像出力装置３と、ＣＴＰ用ＲＩＰ４と、ＣＴＰ５と、ＤＣＰ用画像出力装置６とをネットワークを介して接続している。画像出力制御装置２Ａは、カンプ用画像出力装置３の前段に備えられており、画像出力制御装置２Ｂは、ＤＣＰ用画像出力装置６の前段に備えられている。ＣＴＰ用ＲＩＰ４は、ＣＴＰ５と画像出力制御装置２Ｂの前段に備えられている。
【００２９】
画像編集端末１は、画像データの画像編集又は面付け作業を行うコンピュータである。画像編集や面付け作業によって、画像データにデータ名等の画像データを説明する付帯情報が付す。画像データが、文字や図形の配置情報及び色情報を含んだＰｏｓｔＳｃｒｉｐｔ等のページ記述言語で記述する場合は、当該画像データにページ記述言語で付帯情報を書き込む。
【００３０】
画像編集又は面付け後、画像編集端末１は、カラーカンプによる校正用として単ページの画像データを画像出力制御装置２Ａに送信し、ＤＣＰによる校正用や印刷用として面付け済みの画像データをＣＴＰ用ＲＩＰ４に送信する。
【００３１】
ＣＴＰ用ＲＩＰ４は、画像データにＲＩＰ処理を施す。ＲＩＰ処理は、ページ記述言語で記述された画像データを解釈して、カンプ用画像出力装置３やＣＴＰ５やＤＣＰ用画像出力装置６の出力解像度に合わせてビットマップデータ化された画像データを展開する処理であり、いわゆるラスタライズである。ラスタライズにより画像データは、画素毎にＣＭＹＫ色版別の階調値が付された画像データとなる。
【００３２】
画像出力制御装置２Ａ，２Ｂは、画像編集端末１からネットワークを介して送信された画像データを解析して画像処理を施す。画像処理としては、ＣＴＰ用ＲＩＰ４と同様のＲＩＰ処理、網点処理、及び校正用画像データの作成、最大トナー総量を制限する色調整である。
【００３３】
校正用画像データは、画像編集端末１から送信された画像データに対応する画像上に付帯情報や日付等の付加情報を付加した画像の画像データである。この校正用画像データは、ＣＭＹＫ色版別に出力された場合、各色版の画像全てに付加情報が付されている。すなわち画像出力制御装置２Ａ，２ＢによってＣＭＹＫ各色版の画像上のそれぞれに付加情報が付加された画像データが作成される。
【００３４】
カンプ用画像出力装置３は、カラーレーザプリンタ等の電子写真方式の複写手段や、イメージスキャナ等のスキャン手段を備えるマルチファンクションプリンタであって、互いに異なるサイズの記録用紙を互いに異なる出力方向（縦置きと横置き）に収納する複数の給紙カセットと、この給紙カセットの各々に収納される記録用紙のサイズ及び出力方向を記憶する記憶手段等を備える。
【００３５】
このカンプ用画像出力装置３は、画像出力制御装置２Ａから送信された校正用画像データに基づくカンプ用画像を色版別又は全色重ね合わせて用紙上に出力する。
【００３６】
ＣＴＰ５は、ＣＴＰ用ＲＩＰ４から送信された画像データに基づく画像を出力する。ＤＣＰ用画像出力装置６は、画像出力制御装置２Ｂから送信された校正用画像データに基づくＤＣＰ用画像を色版別又は全色重ね合わせて用紙上に出力する。
【００３７】
この画像出力システムの概略動作を印刷製版工程の流れを踏みつつ、図２に示すフローチャートの流れに沿って説明する。
【００３８】
図２に示すように、画像編集端末１は、単ページの画像データを画像編集し、付帯情報を書き込む（Ｓ１０１）。
付帯情報が書き込まれた画像データは、画像出力制御装置２Ａへ送信され、これを受けた画像出力制御装置２Ａは、当該画像データを解析加工して校正用画像データを作成する（Ｓ１０２）。校正用画像データを作成した画像出力制御装置２Ａは、当該校正用画像データにカンプ用画像出力装置３へ送信する。
【００３９】
校正用画像データを受けたカンプ用画像出力装置３は、その校正用画像データに基づく画像を該当するサイズ及び出力方向の記録用紙に出力することでカンプ用画像が出力されたカラーカンプを作成する（Ｓ１０３）。
【００４０】
此処に言う“カラーカンプ”とは、色付きの仕上がり見本のことであり、ページ面付けされる写真やイラストのダミーとして印刷物に近い仕上がりイメージを見せることにより、デザインが企画・編集意図に沿ったものであるかどうかの検討や、クライアントの承諾を得るためなどに作成されるものである。すなわち、カラーカンプが出力されると、印刷発注主やデザイナーによって、その文字校正や色校正等の作業結果確認が行われる（Ｓ１０４）。
【００４１】
ここで、印刷発注主やデザイナーにより問題があることが確認された場合には（Ｓ１０４、Ｎｏ）、再度、画像編集端末１にて画像編集等が行われ、カンプ用画像出力装置３によってカラーカンプが作成される。ここで、問題がないことが確認された場合には（Ｓ１０４、Ｙｅｓ）、クライアントである印刷会社の作業者により画像編集端末１において面付け作業が行われる（Ｓ１０５）。尚、此処に言う“面付け作業”とは、製版フィルムを的に印刷して折り丁にしたときにノンブル（そのページが何ページ目かがわかるように、ページの端に入れておく番号のこと）が順に並ぶように、写真やイラスト等の画像を１６ページ単位、或いは８ページ単位や４ページ単位で、印刷機にかける用紙のサイズに合わせて貼り合わせる作業のことである。
【００４２】
そして、印刷会社の作業者により画像編集端末１からＣＴＰ用ＲＩＰ４へ面付け作業が行われた画像データが送信されると、ＣＴＰ用ＲＩＰ４は、その画像データに対してＲＩＰ処理を施し、画像出力制御装置２Ｂは、ＲＩＰ処理済みの画像データから校正用画像データを作成する。（Ｓ１０６）。
【００４３】
校正用画像データは、ＤＣＰ用画像出力装置６へ送信され、これを受けたＤＣＰ用画像出力装置６は、校正用画像データに基づく画像を該当するサイズ及び出力方向の記録用紙に出力することで、ＤＣＰを作成する（Ｓ１０７）。
【００４４】
そして、作成されたＤＣＰの色校正が印刷発注主やデザイナーにより行われる。ここで、問題があることが確認された場合には（Ｓ１０８、Ｎｏ）、画像出力制御装置２Ｂにおいて、各種設定情報（色調整の他、出力方向や出力サイズ等）の変更が行われた後、再度、ＤＣＰ用画像出力装置６によって校正用画像データに基づく画像が記録用紙に出力されて、ＤＣＰが作成される（Ｓ１０７）。
【００４５】
ここで、その作成されたＤＣＰに問題がないことが確認された場合には（Ｓ１０８、Ｙｅｓ）、印刷発注主やデザイナーは、ＣＴＰ用ＲＩＰ４から画像データをＣＴＰ６に送信して、これを受けたＣＴＰ５は、印刷版に直接画像記録を行う（Ｓ１０９）。さらに、印刷会社の作業者は、その印刷版により印刷を行い、その印刷物である面付けされた画像の色校正が行われ、ここで、問題がないことが確認された場合には（Ｓ１１０、Ｙｅｓ）、印刷機により印刷物を印刷する工程に移行する（Ｓ１１１）。
【００４６】
次に、画像出力制御装置２Ａ、２Ｂ（以下、単に「制御装置２」という）において行われる画像データに基づく校正用画像データの作成について図３乃至図８に基づき詳細に説明する。
【００４７】
制御装置２は、図３に示すように、ＣＰＵ２ａ、ＲＡＭ２ｂ、ＨＤＤ２ｃ、ＣＲＴ（ｃａｔｈｏｄｅ  ｒａｙ  ｔｕｂｅ）やＬＣＤ（ｌｉｑｕｉｄ  ｃｒｙｓｔａｌ  ｄｉｓｐｌａｙ）等のモニタ２ｄ、キーボード若しくはマウス又はタッチパネル等の入力装置２ｅ、モデム等の通信手段２ｆにより構成されているコンピュータである。
【００４８】
ＨＤＤ２ｃには、画像データを解析加工し、校正用画像データを生成する機能を実現させる画像出力プログラム７が格納されている。この画像出力プログラム７は、色版別の画像データに対応する画像上に付帯情報を付加した色版別の校正用画像データを作成する機能を実現させるプログラムである。
【００４９】
この制御装置２は画像出力プログラム７を実行することによって、ＣＰＵ２ａが演算を行いつつ、ＲＡＭ２ｂに演算結果を一時保存しながら、適宜モニタ２ｄに表示画面を表示させ、入力装置２ｅからの入力を受け付け、通信手段２ｆにより画像出力装置３，６と通信を行うことにより各機能が発揮される。
【００５０】
図４に示すように、制御装置２は、各機能として、ＣＰＵ２ａで構成される付加情報画像データ作成手段２２とＲＩＰ処理手段２３と網点化手段２５と合成手段２６と図示しない色調整手段を備える。又、制御装置２は、ＲＡＭ２ｂ又はＨＤＤ２ｃで構成される画像データ格納手段２１を備える。色調整手段は、ＣＰＵ２ａで構成されるトナー量調整手段２４とトナー量設定手段２７と、ＲＡＭ２ｂ又はＨＤＤ２ｃで構成されるとトナー量調整情報格納手段２８を備える。
【００５１】
画像データ格納手段２１は、画像編集端末１から送信された画像データを格納する。ＣＴＰ用ＲＩＰ４を介して画像データが送信された場合には、ＣＴＰ用ＲＩＰ４にてページ記述言語の画像データからラスタライズにより展開されたＣＭＹＫ色版別の画像データが格納される。ＣＴＰ用ＲＩＰ４経由の場合は、画像データ格納手段２１は、ＣＴＰ用ＲＩＰ４がＲＩＰ処理の際に抜き出した付帯情報を色版別の画像データと共に格納する。
【００５２】
付加情報画像データ作成手段２２は、付加情報と該付加情報の配置位置を規定した配置位置情報を含んだ付加情報画像データをＣＭＹＫ色版毎に作成する。付加情報は、画像データに含まれる付帯情報や、制御装置２が保持する日付情報である。配置情報は、ＲＡＭ２ｂ又はＨＤＤ２ｃに記憶されている共通の情報を用いる。すなわち、付加情報画像データは、ＣＭＹＫ各色版の共通位置に付加情報の配置を規定している。配置情報の記憶は、予め行われていても、装置操作者が入力装置２ｅを用いて配置情報を作成してＲＡＭ２ｂ又はＨＤＤ２ｃに記憶させてもよい。
【００５３】
ＲＩＰ処理手段２３は、画像データ格納手段２１に格納されている画像データを解釈してラスタライズすることでＣＭＹＫ各色版別の画像データを展開する。また、付加情報画像データ作成手段２２が作成した色版別の付加情報画像データを解釈してラスタライズし、ラスターデータ化したＣＭＹＫ色版別の付加情報画像データを展開する。すなわち、ＲＩＰ処理手段２３は、画像データと付加情報画像データを別々にラスタライズする。付加情報画像データは、各色版に付加情報が含まれる。
【００５４】
網点化手段２５は、画像データに対して網点化処理を行う。網点化処理は、ラスタライズされた画像データから多値の網点で形成される画像データを作成する処理である。尚、文字の画像が含まれる付加情報画像データに対しては、網ライン化を行うようにしてもよい。
【００５５】
合成手段２６は、画像データと付加情報画像データを対応する色版毎に合成して、色版毎の校正用画像データを作成する。
【００５６】
色調整手段は、トナー量調整手段２４とトナー量設定手段２７とトナー量調整情報格納手段２８を備える。この色調整手段は、画像データに対応する画像の単位面積当りの最大トナー総量を超えないように、画像データをＣＭＹＫ色版別に色調整する第一の色調整手段であり、更に付加情報画像データに対応する付加情報の付加に使用する単位面積当りの最大トナー総量を超えないように、付加情報画像データをＣＭＹＫ色版別に色調整する第二の色調整手段である。
【００５７】
それぞれの最大トナー総量は、装置操作者が入力装置２ｅを用いて設定する。最大トナー総量は、色版単体で塗布可能な最大トナー量を１００とした場合のＣＭＹＫ各色版の最大トナー量を合算した値である。
【００５８】
トナー量設定手段２７では、最大トナー総量を超えないように画像用トナー量調整情報と付加情報用トナー量調整情報を作成し、トナー量調整情報格納手段２８に格納する。画像用トナー量調整情報と付加情報用トナー量調整情報は、例えば記録用紙に塗布するＣＭＹＫ各色版の最大トナー量を百分率で表したものであり、トナー量制限率である。各色版のトナー制限率を合算した値は、最大トナー総量以下である。
【００５９】
トナー量調整手段２４では、ラスタライズされた画像データと付加情報画像データの各画素のＣＭＹＫ各色版の階調値を変換して色調整を行う。
【００６０】
画像データの各画素の階調値を変換する場合、トナー量調整情報格納手段２８から画像用トナー量調整情報を参照する。付加情報画像データの各画素の階調値を変換する場合、トナー量調整情報格納手段２８から付加情報用トナー量調整情報を参照する。トナー量調整手段２４は、ＣＭＹＫ各色版の階調値にＣＭＹＫ各色版のトナー量制限率を乗じて新たな階調値に変換する。
【００６１】
付加情報部分は、ＣＭＹＫ全色重ね合わせて記録用紙に出力すると、同一位置を規定する配置位置情報によって各色のトナーが重なり、トナー散りやトナーつぶれが発生するおそれがある。しかし、この色調整により付加情報部分を視認性良く出力することができる。また、画像部分と付加情報部分とで別々に色調整を行っているため、画像部分の色再現性と付加情報部分の視認性を両立する。
【００６２】
トナー量設定手段２７の両トナー量調整情報の作成について図５及び６に基づき詳細に説明する。トナー量設定手段２７は、モニタ２ｄを制御して図５に示す表示画面を表示させる。表示画面には、色調整設定の一項目として最大トナー総量の設定項目が表示される。
【００６３】
装置操作者が入力装置２ｅを用いて画像データに対する最大トナー総量を入力すると、トナー量設定手段２７は、最大トナー総量の値を超えないようにＣＭＹＫ各色版のトナー制限率を設定する。
【００６４】
トナー量設定手段２７は、設定したトナー制限率をトナー量調整情報として、トナー量調整情報格納手段２８に格納する。例えば、最大トナー総量が２００と入力されると、ＣＭＹＫ各色のトナー量制限率を５０％に設定する。
【００６５】
図５に示す表示画面には、トナー量設定手段２７の制御により、付加情報部分のトナー量を制限するチェックボックスが表示される。入力装置２ｅを用いて、当該チェックボックスにチェックが入れられると、トナー量設定手段２７は、図６に示す付加情報部分のトナー量調整の表示画面をモニタ２ｄに表示させる。
【００６６】
係る表示画面には、付加情報部分の最大トナー総量の設定と、各色版別にトナー量制限率を設定する項目が表示される。装置操作者が最大トナー総量を設定すると、この最大トナー総量を超えない範囲で、各色版別のトナー量制限率を個別に設定可能となる。色版毎にトナー量制限率を設定することにより、例えば、Ｙ（イエロー）の色版における付加情報の視認性を向上させることができる。
【００６７】
次に、この制御装置２の画像データ加工動作を図７に基づき詳細に説明する。ここで、画像用トナー量調整情報と付加情報用トナー量調整情報は、トナー量設定手段２７により予めトナー量調整情報格納手段２８に格納されていることを前提とする。
【００６８】
まず、付加情報画像データ作成手段２２により付加情報が取得される。付加情報画像データ作成手段２２は、画像データ格納手段２１に格納されている画像データを読み込む。読み込んだ画像データに含まれるデータ名等の付帯情報を取得し、また制御装置２がカウントしている日付情報を取得する。これら付帯情報及び日付情報を付加情報として一時ＲＡＭ２ｂに格納する。（Ｓ２０１）
【００６９】
付加情報画像データ作成手段２２は、ＲＡＭ２ｂに格納した付加情報に、共通の配置位置情報と、ＣＭＹＫＫ各色で描画する記述を含んだ色情報とを加え、付加情報が共通位置にＣＭＹＫ各色で描画されることを記述する付加情報画像データを作成する。（Ｓ２０２）
【００７０】
付加情報画像データが作成されると、ＲＩＰ処理手段２３により画像データと付加情報画像データのＲＩＰ処理が行われる。まずＲＩＰ処理手段２３は、画像データ格納手段２１に格納されている画像データをラスタライズし、当該画像データからラスター化されたＣＭＹＫ色版別の画像データを展開する。さらに、ＲＩＰ処理手段２３は、別個に付加情報画像データをラスタライズし、色情報を参照することで、当該付加情報画像データからラスター化されたＣＭＹＫ色版別の付加情報画像データを展開する。（Ｓ２０３）
【００７１】
ＲＩＰ処理により色版別の画像データ及び色版別の付加情報画像データが展開されると、トナー量調整手段２４は、トナー量設定手段２８より画像用トナー調整情報と付加情報用トナー調整情報を取得する。（Ｓ２０４）
【００７２】
画像用トナー調整情報と付加情報用トナー調整情報を取得すると、トナー量調整手段２４は、画像データと付加情報画像データに対し、それぞれのデータが用紙に出力された際の単位面積当りの最大トナー総量を調整する色調整を施す。
【００７３】
つまり、トナー量調整手段２４は、画像用トナー調整情報から各色のトナー量制限率を認識する。画像データの各画素に付されている各色版の階調値にトナー量制限率を乗じ、導かれた値を新たな階調値として画像データを調整する。更に、トナー量調整手段２４は、付加情報用トナー調整情報から各色のトナー量制限率を認識する。負荷情報画像データの各画素に付されている各色版の階調値にトナー量制限率を乗じ、導かれた値を新たな階調値として付加情報画像データを調整する。（Ｓ２０５）
【００７４】
色調整が行われると、網点化手段２５により画像データに対する網点化処理が施される（Ｓ２０６）。尚、画像データに対する網点化処理に平行して付加情報画像データに対して網ライン化処理を行ってもよい。
【００７５】
網点化処理が画像データに対して施されると、合成手段２６は、色版毎の画像のそれぞれに付加情報が付加されるように、画像データと付加情報画像データを色版毎に対応させて合成し、色版毎の校正用画像データを作成する（Ｓ２０７）。Ｓ２０６とＳ２０７の動作の順序を入れ替えることが可能であり、順序を入れ替えた場合には、付加情報画像データ部分についても網点化や網ライン化処理が行われる。
【００７６】
この画像出力システムにより作成されるデータ及び出力物を図８乃至図９に示す。画像編集端末１から送信される画像データは、ＲＩＰ処理により図８の（ａ）乃至（ｄ）に示すようなＣＭＹＫ各色版の画像データとなる。実際のＣＭＹＫ色版別の画像データは、例えば点順次としてＣＭＹＫ各色の階調値を示す数字列が画素順に並んでおり１データに混在する。
【００７７】
図８の（ｅ）乃至（ｈ）に示すように、制御装置２では、付加情報画像データ作成手段２２が付加情報作成手段として付加情報画像データを色版毎に作成する。実際のＣＭＹＫ色版別の付加情報画像データは、例えば点順次としてＣＭＹＫ各色の階調値を示す数字列が画素順に並んでおり１データに混在する。
【００７８】
図９（ａ）乃至（ｄ）に示すように、付加手段の第一工程を行う合成手段２６により、色版毎の画像データ及び色版毎の付加情報画像データを合成することで、各色版に付加情報が付された校正用画像データが作成される。この校正用画像データを、付加手段の第二工程を行う画像出力装置３，６により、色版毎に出力した場合、各色版の画像に付加情報が付されており、検版性が向上する。すなわち、いずれの色版の画像を見てもその画像に対応する画像データの情報等を確認することができる。
【００７９】
また、図９（ｅ）に示すように、色版毎の校正用画像データを全色重ねて一枚の用紙に出力した場合、付加情報画像データ作成手段２２により共通の位置に付加情報が付加されるように作成されているため、各色の付加情報が重なり、ぼやけることなくクリアになり、画像の校正作業を妨げることはない。
【００８０】
色版別の校正用画像データを全色重ねて一枚の用紙に出力した場合、各色のトナーが同一箇所に塗布されることになるが、第二の色調整手段たるトナー量調整手段２４が付加情報部分の最大トナー総量を超えないようにする色調整を行っているため、トナー散りの発生が抑えられ、校正作業の作業性が向上する。
【００８１】
トナー量調整手段２４は、付加情報画像データに対する色調整と別個に、第一の色調整手段として画像データの最大トナー総量制限を行っているため、付加情報の視認性と画像の色再現性に影響を与えることなく、校正作業の質が向上する。
【００８２】
以上、本実施形態においては、ＨＤＤに記憶された画像出力プログラム７を実行させることで出力制御装置２に上述したような機能を備えるようにしたが、このような画像出力プログラム７は、制御装置２が読取可能な記憶媒体、例えば、光ディスク、光磁気ディスク（ＣＤ−ＲＯＭ／ＤＶＤ−ＲＡＭ／ＤＶＤ−ＲＯＭ／ＭＯ等）、磁気記憶媒体（ハードディスク／フロッピー（登録商標）ディスク／ＺＩＰ等）に記憶されているようにしてもよい。また、本実施形態において制御装置２は、画像出力プログラム７を実行することで上述の機能を備えるようにしたが、専用回路を備えることで上述の機能を備えるようにしてもよい。
【図面の簡単な説明】
【００８３】
【図１】画像出力システムの構成図である。
【図２】画像出力システムの概略動作を示すフローチャート図である。
【図３】画像出力制御装置の構成図である。
【図４】画像出力制御装置の機能ブロック図である。
【図５】画像データの色調整を設定する表示画面を示す図である。
【図６】付加情報画像データの色調整を行う表示画面を示す図である。
【図７】画像データの加工動作を示すフローチャート図である。
【図８】色版毎の画像データと色版毎の付加情報画像データを説明する図である。
【図９】色版毎に付加情報が付加された画像を色版毎に出力した出力物と、全色重ね合わせて画像を出力した出力物を説明する図である。
【図１０】従来の付加情報が付加された画像を色版毎に出力した出力物と、全色重ね合わせて画像を出力した出力物を説明する図である。
【符号の説明】
【００８４】
１  画像編集端末
２，２Ａ，２Ｂ  画像出力制御装置
２ａ  ＣＰＵ
２ｂ  ＲＡＭ
２ｃ  ＨＤＤ
２ｄ  モニタ
２ｅ  入力装置
２ｆ  通信手段
２１  画像データ格納手段
２２  付加情報画像データ作成手段
２３  ＲＩＰ処理手段
２４  トナー量調整手段
２５  網点化手段
２６  合成手段
２７  トナー量設定手段
２８  トナー量調整情報格納手段
３  カンプ用画像出力装置
４  ＣＴＰ用ＲＩＰ
５  ＣＴＰ
６  ＤＣＰ用画像出力装置
７  画像出力プログラム
【図１】
2006211133.tif 000003
【図２】
2006211133.tif 000004
【図３】
2006211133.tif 000005
【図４】
2006211133.tif 000006
【図５】
2006211133.tif 000007
【図６】
2006211133.tif 000008
【図７】
2006211133.tif 000009
【図８】
2006211133.tif 000010
【図９】
2006211133.tif 000011
【図１０】
2006211133.tif 000012